(57)【要約】【課題】骨盤を立てて背筋を伸ばした正しい姿勢で座れるとともに、すねが痛くならないような椅子を提供する。【解決手段】本発明に係る椅子１００は、尻が接触する着座部１０と、すねが接触するすね当て部２０と、前記着座部１０と前記すね当て部２０とを支持する椅子本体部５０と、足の裏を載置する足載せ部３０とから構成されている。着座部１０の上面１０ａは、水平方向９２に対して傾斜している。足載せ部０は、椅子本体部５０によって支持されている。着座部１０は、椅子本体部５０を基準にして高さを変更可能な構成をしている。そして、すね当て部２０は、椅子本体部５０を基準にして位置を変更可能な構成をしている。【選択図】図４
2020074874.tif 000002
【特許請求の範囲】
【請求項１】
人が座る椅子であって、
尻が接触する着座部と、
すねが接触するすね当て部と、
前記着座部と前記すね当て部とを支持する椅子本体部と、
足の裏を載置する足載せ部と
を備え、
前記着座部の上面は、水平方向に対して傾斜しており、
前記足載せ部は、前記椅子本体部によって支持され、
前記着座部は、前記椅子本体部を基準にして高さを変更可能な構成をしており、
前記すね当て部は、前記椅子本体部を基準にして位置を変更可能な構成をしている、椅子。
【請求項２】
前記椅子本体部には、前記着座部を収納する座面溝が形成されており、
前記椅子本体部には、前記すね当て部を収納するすね当て溝が形成されており、
前記座面溝は、前記椅子本体部において前記高さが異なる箇所に複数形成されており、
前記すね当て溝は、前記椅子本体部において前記位置が異なる箇所に複数形成されている、請求項１に記載の椅子。
【請求項３】
前記足載せ部は、前記椅子本体部を基準にして高さを変更可能な構成をしている、請求項１または２に記載の椅子。
【請求項４】
前記椅子本体部には、前記足載せ部を収納する足載せ溝が形成されており、
前記足載せ溝は、前記椅子本体部において前記高さが異なる箇所に複数形成されている、請求項３に記載の椅子。
【請求項５】
前記椅子本体部は、前記着座部および前記すね当て部を挟むような一対の板状部材から構成されており、
前記一対の板状部材は、連結棒状部材によって接続されている、請求項１から３の何れか一つに記載の椅子。
【請求項６】
前記着座部には、前記高さを調整する第１ガスシリンダーが接続されており、
前記すね当て部には、前記位置を調整する第２ガスシリンダーが接続されている、請求項１に記載の椅子。
【請求項７】
前記足載せ部は、棒状部材から構成されている、請求項６に記載の椅子。
【請求項８】
前記足載せ部は、前記足載せ部を固定する足載せ固定部材によって支持されており、
前記足載せ固定部材には、前記足載せ部を構成する前記棒状部材を収納する足載せ開口部が複数形成されている、請求項７に記載の椅子。
【請求項９】
前記椅子本体部は、前記第１ガスシリンダーおよび前記第２ガスシリンダーを固定する固定部材である、請求項６から８の何れか一つに記載の椅子。
【請求項１０】
前記椅子には、前記人の背中を支える背もたれ部は形成されておらず、
前記着座部は、前記すね当て部の方に向かって下方するように傾斜している、請求項１から９の何れか一つに記載の椅子。
【発明の詳細な説明】
【技術分野】
【０００１】
本発明は、椅子に関する。特に、背筋の伸びた正しい姿勢で座れる椅子に関する。
【背景技術】
【０００２】
一般に、伝統的な椅子の概念によれば、着座姿勢は、両足を床面に着地させ、両脚をほぼ９０°に曲げた状態で要部を椅子の着座部に載置させ、上半身をほぼ垂直に保つ姿勢である。しかしながら、このような着座姿勢では、例えば、机に向かって諸作業をする際、自ずと上半身が机の方へ曲がり、従って脊髄が曲げられ、結果として内臓が圧迫され、疲労しやすいという傾向がある。そこで、着座して諸作業する際に、上半身が前屈みにならないように工夫された所謂バランスチェアが提案されている（例えば、特許文献１、２など参照）。
【先行技術文献】
【特許文献】
【０００３】
【特許文献１】特開平１０−５２３３３号公報
【特許文献２】特開２０１４−１２４５０３号公報
【発明の概要】
【発明が解決しようとする課題】
【０００４】
本願発明者は、伝統的な椅子および所謂バランスチェアについて再度検討を行った。図１は、伝統的な椅子１０００に使用者５００が座っている様子を示す図である。また、図２は、典型的なバランスチェア２０００に使用者５００が座っている様子を示す図である。
【０００５】
まず、図１に示すような伝統的な椅子１０００は、使用者５００の尻（または、尻を含む腰部）を支持する着座部１１００と、使用者５００の背中を支持する背もたれ部１２００と、着座部１１００から下に延びた脚部１４００と、脚部１４００を支える土台部１５００とから構成されている。着座部１１００と背もたれ部１２００とはパイプ部材１３００で接続されている。また、土台部１５００は、接地部（例えば、ローラ）１５５０を介して床に接触している。
【０００６】
図１に示した伝統的な椅子１０００の場合、使用者５００が机１９００の方に前屈みになると、体幹が前傾するために姿勢が悪くなり、それゆえに、腰へ負担がかかりやすい。具体的には、立っている時の腰椎への負担を１００％としたとき、膝と腰の角度が９０°の場合は１４０％の負担がかかり、そして、前のめりになっている場合（８０°の角度の場合）は１９０％の負担がかかっている。
【０００７】
次に、図２に示すようなバランスチェア２０００は、使用者５００の尻（または、尻を含む腰部）を支持する着座部（座面）２１００と、着座部２１００の前方に配置された膝当部２２００と、着座部２１００と膝当部２２００とをそれぞれ所定の高さに保持する支持部２３００とから構成されている。支持部２３００の一部は、床に接触する接地部２５００となっている。また、着座部（座面）２１００は前傾している。
【０００８】
図２に示したバランスチェア２０００の場合、着座部（座面）２１００が前傾しているので、腰椎と大腿骨の角度を大きくとれるので、立位に近い角度で座れ、姿勢を正しく出来、腰への負担を減らすのに有効である。しかしながら、着座部（座面）２１００が前傾していると、体重が斜め下方に移動するために（矢印２７００の荷重方向）、この荷重を支える力（矢印２８００）が必要となる。そして、図２に示したバランスチェア２０００では膝当部２２００が荷重（矢印２７００）を支えているが、長時間の使用により、荷重のかかる膝が痛くなる。
【０００９】
本発明はかかる点に鑑みてなされたものであり、その主な目的は、骨盤を立てて背筋を伸ばした正しい姿勢で座れるとともに、すねが痛くならないような椅子を提供することにある。
【課題を解決するための手段】
【００１０】
本発明に係る椅子は、尻が接触する着座部と、すねが接触するすね当て部と、前記着座部と前記すね当て部とを支持する椅子本体部と、足の裏を載置する足載せ部とを備えている。前記着座部の上面は、水平方向に対して傾斜している。前記足載せ部は、前記椅子本体部によって支持されている。前記着座部は、前記椅子本体部を基準にして高さを変更可能な構成をしている。前記すね当て部は、前記椅子本体部を基準にして位置を変更可能な構成をしている。
【００１１】
ある好適な実施形態において、前記椅子本体部には、前記着座部を収納する座面溝が形成されている。前記椅子本体部には、前記すね当て部を収納するすね当て溝が形成されている。前記座面溝は、前記椅子本体部において前記高さが異なる箇所に複数形成されている。前記すね当て溝は、前記椅子本体部において前記位置が異なる箇所に複数形成されている。
【００１２】
ある好適な実施形態において、前記足載せ部は、前記椅子本体部を基準にして高さを変更可能な構成をしている。
【００１３】
ある好適な実施形態において、前記椅子本体部には、前記足載せ部を収納する足載せ溝が形成されている。前記足載せ溝は、前記椅子本体部において前記高さが異なる箇所に複数形成されている
【００１４】
ある好適な実施形態において、前記椅子本体部は、前記着座部および前記すね当て部を挟むような一対の板状部材から構成されている。前記一対の板状部材は、連結棒状部材によって接続されている。
【００１５】
ある好適な実施形態において、前記着座部には、前記高さを調整する第１ガスシリンダーが接続されている。前記すね当て部には、前記位置を調整する第２ガスシリンダーが接続されている。
【００１６】
ある好適な実施形態において、前記足載せ部は、棒状部材から構成されている。
【００１７】
ある好適な実施形態において、前記足載せ部は、前記足載せ部を固定する足載せ固定部材によって支持されている。前記足載せ固定部材には、前記足載せ部を構成する前記棒状部材を収納する足載せ開口部が複数形成されている。
【００１８】
ある好適な実施形態において、前記椅子本体部は、前記第１ガスシリンダーおよび前記第２ガスシリンダーを固定する固定部材である。
【００１９】
ある好適な実施形態において、前記椅子には、前記人の背中を支える背もたれ部は形成されていない。前記着座部は、前記すね当て部の方に向かって下方するように傾斜している。
【発明の効果】
【００２０】
本発明の椅子によれば、着座部とすね当て部と足載せ部とを備えているので、着座部の上面が傾斜している構成において、座った時にかかる荷重を、すね当て部と足載せ部の複数箇所に分散することができる。その結果、骨盤を立てて背筋を伸ばした正しい姿勢で座れるとともに、すねが痛くならないような椅子を実現することができる。すなわち、長時間の使用でのすねの痛みを緩和するができることから、長く座っても正しい姿勢を保つことができ、すねが痛くならず、疲れない椅子を実現することができる。
【図面の簡単な説明】
【００２１】
【図１】伝統的な椅子１０００に使用者５００が座っている様子を示す図である。
【図２】典型的なバランスチェア２０００に使用者５００が座っている様子を示す図である。
【図３】本願発明者が検討した椅子９０の構成を示す図である。
【図４】本発明の実施形態に係る椅子１００の構成を示す斜視図である。
【図５】本発明の実施形態に係る椅子１００の構成を示す側面図である。
【図６】本発明の実施形態に係る椅子１００の構成を示す断面図である。
【図７】椅子１００に使用者２００が座っている様子を示す図である。
【図８】椅子１００の座面１０の高さ（位置）を調整する様子を示す図である。
【図９】椅子１００のすね当て部２０の位置を調整する様子を示す図である。
【図１０】椅子１００の足載せ部３０の高さ（位置）を調整する様子を示す図である。
【図１１】（ａ）および（ｂ）は、それぞれ、椅子１００に使用者２００が座っている様子を示す図（断面模式図）である。
【図１２】本発明の実施形態に係る椅子１００の改変例を示す側面図である。
【図１３】典型的なバランスチェアに使用者が座った時の試験結果（圧力）を示すグラフである。
【図１４】椅子１００に使用者が座った時の試験結果（圧力）を示すグラフである。
【図１５】椅子１００の改変例に使用者２００が座っている様子を示す斜視図である。
【図１６】椅子１００の改変例の構成を示す斜視図である。
【図１７】椅子１００の改変例の構成を示す斜視図である。
【発明を実施するための形態】
【００２２】
本発明の実施形態の詳細を説明する前に、本発明に係る椅子が生まれた経緯およびコンセプトについて図３を参照しながら説明する。図３は、着座部（座面）１１０およびすね当て部１２０とを含む椅子９０の構成を模式的に説明する図であり、そして、使用者（ユーザ）５００が椅子９０に座った様子を示している。
【００２３】
椅子９０の構成の場合、着座部（座面）１１０が前傾していることから、座った時に荷重（矢印１７０）が加わる。そして、本願発明者は、その荷重（矢印１７０）により、すね当て部１２０ですねが痛くなることを防止するために、座面１１０の角度を調整することで、すね当て部１２０を取り外せないかを検討した。座面に傾斜角度を設けたところ、時間の経過とともに滑り落ちていき、座り直す必要が生じた。座面の傾斜角度の更なる最適化も検討したが、使用者（ユーザ）５００の個人差（体格など）もあるため、すね当て部１２０を取り除くことは中止した。そして、座った時に荷重（矢印１７０）に対する耐荷重を、すね当て部１２０での反力（矢印１８０の耐荷重）だけでなく、足の裏に位置する面（１３０）の反力（矢印１９０の耐荷重）も利用して、複数（２箇所）に分散することで、すね当て部１２０のすねに加わる圧力を軽減するコンセプトを打ち出した。すなわち、荷重（矢印１７０）に対する耐荷重を２箇所に分散して（矢印１８０、１９０）、それにより、長時間の使用での痛みを緩和することにした。具体的には、すね当て部１２０の角度はなるべく立てるようにして（垂直（鉛直）に近い角度にして）、すねに加わる圧力をなるべく軽減するようにした。また、すね当て部（すねパッド）１２０の形状は、なるべく、足（足の裏）を乗せにくいものにすることで、すね板に足を載せて座るという誤った使用を防止することができる。
【００２４】
加えて、使用者（ユーザ）５００が子供の場合、成長によって、椅子９０の構成が変化していく。それゆえに、使用者（ユーザ）５００の体格が変化しても（または、体格が違う使用者が座っても）、それに対応できる椅子を構築できることが好ましい。
【００２５】
本願発明者は、上述した考察・知見・コンセプトなどに基づいて、本発明に係る椅子を創出した。以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合がある。また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００２６】
図４は、本発明の実施形態に係る椅子１００の構成を示す斜視図である。また、図５は、本実施形態の椅子１００の側面構成を示している。そして、図６は、図５に示した椅子１００の構成を模式的に示す断面図である。図４等における矢印９１は鉛直方向（上下方向）を示しており、矢印９２は、鉛直方向９１に直角である水平方向９２を示している。また、矢印９３および矢印９４は、それぞれ、椅子１００の前方方向および後方方向を示している。
【００２７】
図４に示すように、本実施形態に係る椅子１００は、人が座る椅子であり、人の背中を支える背もたれ部は形成されていないものである。本実施形態の椅子１００は、尻が接触する着座部（座面）１０と、すねが接触するすね当て部（すねパッド）２０と、着座部１０とすね当て部２０とを支持する椅子本体部（ボディ）５０と、足の裏を載置する足載せ部３０とから構成されている。本実施形態の構成において、着座部１０の上面１０ａは、水平方向９２に対して傾斜している。足載せ部３０は、椅子本体部５０によって支持されている。本実施形態の足載せ部３０は、板状形状を有している。
【００２８】
本実施形態の構成において、着座部１０は、椅子本体部５０を基準にして高さを変更可能な構成をしている。そして、すね当て部２０は、椅子本体部５０を基準にして位置を変更可能な構成をしている。また、椅子本体部５０は、一対の板状部材から構成されており、そして、一対の板状部材（５０）は、着座部１０およびすね当て部２０を挟むようにして、連結棒状部材５３によって接続されている。加えて、足載せ部３０も、一対の板状部材（５０）によって挟むように配置されている。
【００２９】
本実施形態の構成では、椅子本体部５０には、着座部１０を収納する座面溝６１が形成されている。図示した例では、椅子本体部５０の内面において、複数の座面溝６１が、高さが異なる箇所に平行して形成されている。そして、着座部１０の高さは、差し込む座面溝６１の位置（高さ位置）を変更することで、調整することができる。
【００３０】
また、椅子本体部５０には、すね当て部２０を収納するすね当て溝６２が形成されている。図示した例では、椅子本体部５０の内面において、複数のすね当て溝６２が、位置が異なる箇所に平行して形成されている。そして、すね当て部２０の位置は、差し込むすね当て溝６２の位置を変更することで、調整することができる。言い換えると、着座部１０とすね当て部２０との距離を変更（調節）することができる。
【００３１】
さらに、足載せ部３０は、椅子本体部５０を基準にして高さを変更可能な構成をしている。図示した例では、椅子本体部５０において、足載せ部３０を収納する足載せ溝６３が形成されている。そして、複数の足載せ溝６３は、椅子本体部５０の内面において高さが異なる箇所に平行して形成されている。本実施形態の構成例では、足載せ部３０の高さ（位置）は、差し込む足載せ溝６３の高さ（位置）を変更することで、調整することができる。なお、人が座った時。足載せ部３０の上面（接触表面）３０ａには、人（ユーザ）の足の裏が置かれることになる。
【００３２】
図５に示すように、着座部１０は、前方方向９３に向かって（または、すね当て部２０の方に向かって）下方するように傾斜している。着座部１０の上面１０ａ（座面表面）と水平線９２との間の角度θは、例えば、２０°（±１５°）であるが、当該角度θは、要求される椅子の特性（例えば、座り心地、負荷の分散の条件など）にあわせて適宜好適なものを採用することができる。
【００３３】
本実施形態の着座部１０は、椅子として座り心地のよいシート材料（布、クッション材料など）から構成されている。着座部１０は、座面接続部材（ここでは、板状部材）１２に接合されている。そして、図６に示すように、着座部１０は、結合部材（ネジ、ビスなど）１３によって座面接続部材１２に接続されている。そして、着座部１０は、座面接続部材（板状部材）１２を、複数ある座面溝６１の一つに挿入されることによって、椅子本体部５０に固定されている。
【００３４】
本実施形態のすね当て部２０は、クッションとして適切なシート材料（布、弾性体、スポンジ、または、クッション材料など）から構成されている。すね当て部２０は、すね当て接続部材（ここでは、板状部材）２２に接合されている。そして、すね当て部２０は、結合部材（ネジ、ビスなど）２３によって、すね当て接続部材（板状部材）２２に接続されている。そして、すね当て部２０は、すね当て接続部材（板状部材）２２を、複数あるすね当て溝６２の一つに挿入されることによって、椅子本体部５０に固定されている。
【００３５】
すね当て部２０は、鉛直方向（９１）に沿ったものよりかは、負荷を適切に受けやすいように、鉛直方向（９１）を基準に前方（９３）に傾斜していることが好ましい。図示した例では、すね当て接続部材（板状部材）２２の平面を基準にして、鉛直方向９１から２０°（±１０°）の角度傾斜されるようにしている。言い換えると、すね当て接続部材（板状部材）２２の平面は、水平方向（水平線）９２から、９０°ではなく、７０°（±１０°）立つように配置されている。ただし、当該角度は、要求される椅子の特性（例えば、座り心地、負荷の分散の条件など）にあわせて適宜好適なものを採用することができる。また、図示したすね当て部２０の表面（すね接触面）２０ａは、曲面のものを採用しているが、平面のものを採用してもよい。さらに、着座部１０の上面１０ａ（座面表面）は、平面のものを採用しているが、座り心地のよい曲面のものを採用することも可能である。
【００３６】
また、本実施形態の構成例では、足載せ部（板状部材）３０は、水平方向９２に延ばすよりかは、上方に傾斜するように延ばしている。図示した例では、足載せ部３０の上面３０ａと水平方向９２との間の角度は、例えば、２０°（±１５°）であるが、当該角度は、要求される椅子の特性（例えば、座り心地、負荷の分散の条件など）にあわせて適宜好適なものを採用することができる。例えば、足載せ部３０の上面３０ａと水平方向９２との間の角度は、５°（±３°）のような水平に近い角度にすることができる。５°のような水平に近い傾斜にすると、足載せ部３０で立ったときでも、足が滑りにくくなるという利点がある。また、本構成例では、着座部１０と水平方向９２との傾斜角度θ（例えば、３０°）よりも、足載せ部３０と水平方向９２との傾斜角度は、小さい角度（例えば、２０°、または、５°）になるようにしている。このような角度の関係にすると、長時間の座り心地の良さを持続しやすいが、要求される椅子の特性にあわせて適宜好適なものを採用することができる。また、足の長い人の場合、足載せ部３０を取り外して使用してもよい。
【００３７】
本実施形態の構成では、椅子本体部５０を含む大半の部材は、木材から構成されている。具体的には、本実施形態の椅子１００は、着座部１０およびすね当て部２０に含まれるクッション材料（または、シート部材）、ビス・ネジなどの金属接合部材を除いて、木材から構築されている。木材で構築することにより、軽くて、安価なものを作ることができる。また、木材を使用することにより、自然のぬくもりのある椅子にすることができ、特に、子供用（幼児・児童用）椅子にとって好ましい。もちろん、木材以外の材料（例えば、金属、プラスチックなどの材料）で椅子１００を構築することも可能であるし、木材、金属、及び／又は、プラスチック（または、ガラス）の複合の材料から椅子１００を構築することも可能である。
【００３８】
図４に示した例では、椅子本体部５０の底面が、地面（床）に接するような構成にしているが、図５に示すように、椅子本体部５０の底面に接地部材（ストッパなど）７０を設けてもよい。さらには、接地部材７０をローラにすることで、椅子１００を移動（ローラの回転移動）させるようにすることも可能である。
【００３９】
本実施形態の構成において、椅子本体部５０を構成する一対の板状部材は、それぞれ、一枚板（木製の板）である。椅子本体部５０は、着座部１０を支持する着座支持部位（後方部位）５１ａと、すね当て部２０を支持するすね当て支持部位（前方部位）５１ｃと、両者（５１ａ、５１ｃ）を連結する連結部位５１ｂとを含んでいる。図示した構成例では、着座支持部位（後方部位）５１ａの内面（対向する面）において、座面溝６１が複数本（ここでは、３本以上、例えば５本）形成されている。また、すね当て支持部位（前方部位）５１ｃの内面（対向する面）において、すね当て溝６２が複数本（ここでは、３本以上、例えば４本）形成されている。加えて、図示した例では、すね当て支持部位（前方部位）５１ｃの内面（対向する面）において、足載せ溝６３が複数本（ここでは、３本以上、例えば５本）形成されている。この溝（６１、６２、６３）の数に応じて、多段階に高さ（または位置）を調整することが可能である。
【００４０】
椅子本体部５０を構成する一対の板状部材を連結する連結棒状部材５３は、例えば、ロッド部材（ここでは、円柱部材）である。図示した例では、連結棒状部材５３の端部５２は、椅子本体部５０の外側に位置しているが、連結棒状部材５３の端部が、椅子本体部５０の内側（または内部）に位置するような構成にしてもよい。図示した例では、着座支持部位（後方部位）５１ａに対応して連結棒状部材５３ａ（端部５２ａ）が配置されている。また、すね当て支持部位（前方部位）５１ｃに対応して連結棒状部材５３ｃ（端部５２ｃ）が配置されている。そして、連結部位５１ｂ（または、その近傍）に対応して連結棒状部材５３ｂ（端部５２ｂ）が配置されている。なお、連結棒状部材５３（５３ａ〜５３ｃ）の配置は、この構成例に限らず、他の構成を採用しても構わない。連結棒状部材５３はロッド部材に限らず、他の部材（板状部材など）を使用してもよい。
【００４１】
椅子１００（または椅子本体部５０）には、人（ユーザ）の足を配置する開口領域（空間）５５が設けられている。図示した例では、椅子本体部５０に切り欠き部５６が形成されており、この切り欠き部５６から開口領域（空間）５５に入ることができる。本実施形態では、切り欠き部５６は、Ｕ字形状をしているが、他の形状であっても構わない。
【００４２】
本実施形態の構成において、椅子１００の寸法を例示的に示す。椅子本体部５０の上部までの高さ（着座部１０までの高さ）は、約４００ｍｍ〜約６００ｍｍ（例えば、５３０ｍｍ）である。すね当て部２０の上部までの高さは、約４３０ｍｍ〜約５００ｍｍ（例えば、約４５０ｍｍ）である。着座部１０の前方端部とすね当て部２０の接触面との間の距離（隙間）は、約１２０ｍｍ〜約２１０ｍｍ（例えば、１６０ｍｍ）である。これらの寸法は例示であり、実際の椅子１００の各部位の寸法は、要求される椅子の特性にあわせて適宜好適なものを採用することができる。
【００４３】
図７は、本実施形態の椅子１００に人（使用者）２００が座った様子を示している。本実施形態の椅子１００に座ると、使用者２００の尻（尻を含む腰部）２１０が着座部１０に接触し、すね２２０がすね当て部２０に接触する。本実施形態の構成例では、膝は、すね当て部２０に当たらないようにしているが、膝をすね当て部２０に当てて座ってもよいし、膝にすね当て部２０が当たるような構成にしてもよい。使用者２００の足（足の裏）２３０は、足載せ部３０（３０ａ）に接触する。このように三点で支持されるようにすると、使用者２００の胴部２５０および頭部２６０は上の方に真っ直ぐのびて姿勢が良くなる。それとともに、座った時の負荷が分散して、すねの痛みを緩和でき、その結果、長く座っても疲れないようにすることができる。さらに説明すると、図３で説明したように、負荷１７０を、二つの方向（１８０、１９０）の力で分散して支えることができるので、すね当てにかかる荷重が軽減されて、長く座っても疲れないようにすることができる。
【００４４】
図８は、本実施形態における椅子１００の着座部１０の高さを変える様子を示している。図８に示すように、所定の高さになるように着座部１０を座面溝６１の一つに挿入すると（矢印７１）、着座部１０の高さ調整および取付（固定）が完了する。このように簡便に（そして短時間で）、着座部１０の高さ調整および取付（固定）を行うことができるので便利である。また、簡単な構造で着座部１０の高さ調整（及び固定）を行うことができるので、製造コストも安くすることができるとともに、故障などが起きにくいという技術的な利点がある。
【００４５】
図９は、本実施形態における椅子１００のすね当て部２０の位置を変える様子を示している。図９に示すように、所定の位置になるようにすね当て部２０をすね当て溝６２の一つに挿入すると（矢印７２）、すね当て部２０の位置の調整および取付（固定）が完了する。着座部１０のときと同様に、この構成によれば、簡便に（そして短時間で）、すね当て部２０の位置調整および取付（固定）を行うことができるので便利である。また、簡単な構造で、すね当て部２０の位置調整（及び固定）を行うことができるので、製造コストも安くすることができるとともに、故障などが起きにくいという技術的な利点がある。
【００４６】
図１０は、本実施形態における椅子１００の足載せ部３０の高さ（位置）を変える様子を示している。図１０に示すように、所定の高さ（位置）になるように足載せ部３０を足載せ溝６３の一つに挿入すると（矢印７３）、足載せ部３０の高さ（位置）の調整および取付（固定）が完了する。着座部１０等のときと同様に、この構成によれば、簡便に（そして短時間で）、足載せ部３０の高さ（位置）の調整および取付（固定）を行うことができるので便利である。また、簡単な構造で、足載せ部３０の高さ調整（及び固定）を行うことができるので、製造コストも安くすることができるとともに、故障などが起きにくいという技術的な利点がある。
【００４７】
図１１（ａ）および（ｂ）は、本実施形態の椅子１００に使用者２００が座った様子を示している。使用者２００は、天板１９１と支持部１９２とを備えた机１９０の前に座っている。図１１（ａ）は、椅子１００における着座部１０を一番上にセットし、すね当て部２０を一番後ろ側にセットし、足載せ部３０を一番上にセットして、その椅子１００に座っている様子を示している。図１１（ｂ）は、図１１（ａ）のセットした位置から変更した様子を示している。
【００４８】
図１１（ａ）および（ｂ）に示すように、着座部１０、すね当て部２０、足載せ部３０の高さ・位置を（簡便に）調整することができるので、いろいろな体格の使用者２００でも、同様に骨盤を立て、背筋を伸ばした正しい姿勢で座ることができ、すね当ても痛くならず、長時間疲れずに座ることができる。また、子供の使用者２００が成長して、その子供が大きくなったとしても、椅子を買い換えることなく、本実施形態の椅子１００の高さ・位置を調整することで、ずっと使い続けることができて便利である。
【００４９】
図１２は、図５に示した椅子１００の構造の改変例を示している。図１２に示した椅子１００は、図５に示した構造における連結棒状部材５３ｂの端部５２ｂの位置が異なる。具体的には、図５に示した構造のものよりも、図１２に示した構造では、連結棒状部材５３ｂの端部５２ｂは後方に位置している。また、図１２に示した構造では、図６に示した足載せ溝６３の形状を変更している。図６に示した足載せ溝６３は同じ深さ（高さ）の溝（単純なスリット構造）を有していたが、図１２に示した足載せ溝６３は、略三角形（二等辺三角形のような形状）の部位６３ａと、入り口部６３ｂとから構成されている。この足載せ溝６３の構造では、足載せ部３０を差し込んでから落とし込む仕様になっており、この構造により、足載せ部３０の抜け落ちを防止することができる。また、このセットされた状態の足載せ部３０の傾斜角度は、水平方向から約５°である。他にも、足載せ溝６３の形状（構造）は、適宜好適なものに変更することは可能である。
【００５０】
以上説明したように、本実施形態の椅子１００によれば、着座部１０とすね当て部２０と足載せ部３０とを備えているので、着座部１０の上面１０ａが傾斜（角度θ）している構成において、座った時にかかる荷重（図３の矢印１７０）を、すね当て部２０と足載せ部３０の複数箇所に分散することができる（図３の矢印１８０、矢印１９０の反力を参照）。その結果、長時間の使用でのすねの痛みを緩和するができることから、長く座っても疲れない椅子を実現することができる。
【００５１】
また、本実施形態の構成によれば、着座部１０、すね当て部２０、足載せ部３０の高さ・位置を調整することができるので、使用者２００にあわせた最適な組み合わせの椅子（長時間疲れない椅子）を構築することができる。この高さ・位置の調整は、上述した溝（６１、６２、６３）を用いることで簡便に行うことができる。
【００５２】
＜実施例＞
次に、典型的なバランスチェアの座り心地、および、本実施形態の椅子１００の座り心地について試験した結果を、それぞれ、図１３および図１４に示す。図１３および図１４は、椅子に座った状態の圧力を測定して、その結果をグラフにしたものである。被験者は、女性（身長１６１ｃｍ、体重５１ｋｇ）である。
【００５３】
図１３（比較例）におけるグラフ１０１およびグラフ１０２は、それぞれ、座面２１００、膝当部２２００の圧力結果を示している。圧力結果は、加圧部分における圧力範囲（単位：ｋＰａ）ごとの枠数、割合（％）であり、それを以下に示す。なお、０ｋＰａの枠のものは含まない。
（１）０．６未満（単位：ｋＰａ）・・・８（枠数）、０．６（％）
（２）０．６以上１．０未満・・・・・４７（枠数）、３．３（％）
（３）１．０以上３．５未満・・・・３７５（枠数）、２６．２（％）
（４）３．５以上６．０未満・・・・６２０（枠数）、４３．２（％）
（５）６．０以上８．５未満・・・・２５８（枠数）、１８．０（％）
（６）８．５以上１１．０未満・・・・７０（枠数）、４．９（％）
（７）１１．０以上１３．５未満・・・３４（枠数）、２．４（％）
（８）１３．５以上１６．０未満・・・１６（枠数）、１．１（％）
（９）１６．０以上１８．５未満・・・・６（枠数）、０．４（％）
（１０）１８．５以上・・・・・・・・・０（枠数）、０．０（％）
【００５４】
次に、図１４（実施例）におけるグラフ１０１、グラフ１０２、グラフ１０３は、それぞれ、着座部（座面）１０、すね当て部２０、足載せ部（足裏）３０の圧力結果を示している。圧力結果は、図１３に示したものと同じであり、すなわち、加圧部分における圧力範囲（単位：ｋＰａ）ごとの枠数、割合（％）である。それを以下に示す。
（１）０．６未満（単位：ｋＰａ）・・１０（枠数）、０．７（％）
（２）０．６以上１．０未満・・・・・３７（枠数）、２．５（％）
（３）１．０以上３．５未満・・・・４６０（枠数）、３０．７（％）
（４）３．５以上６．０未満・・・・６２８（枠数）、４２．０（％）
（５）６．０以上８．５未満・・・・２６５（枠数）、１７．７（％）
（６）８．５以上１１．０未満・・・・６２（枠数）、４．１（％）
（７）１１．０以上１３．５未満・・・１６（枠数）、１．１（％）
（８）１３．５以上１６．０未満・・・・７（枠数）、０．５（％）
（９）１６．０以上１８．５未満・・・・９（枠数）、０．６（％）
（１０）１８．５以上・・・・・・・・・２（枠数）、０．１（％）
【００５５】
図１３（比較例）および図１４（実施例）のグラフを比較すると、図１４（実施例）では、圧力が３箇所に分散されていることがわかる。そして、図１３および図１４についての実験結果は、圧力範囲別のカラー表示であるので、白黒のグラフではわかりにくいが、図１３のグラフ１０２（膝当部２２００）に表れていた高い圧力（１３．５以上で、１８．５未満のもの）は、図１４のグラフ１０２（すね当て部２０）では消えており、また、すね当て部２０における圧力の面積も小さくなっていることがわかる。また、図１４のグラフ１０３に示すように、比較的圧力のもの（１３．５以上で１８．５未満のもの、および、１８．５以上のもの）は、足の裏（足載せ部３０）にかかっており、この箇所の圧力が高くてもすねの疲れは非常に少ない。すなわち、  図１３（比較例）および図１４（実施例）のグラフを比べると、座った時にかかる荷重が分散された結果、使用者２００のすねに加わる圧力は大幅に低減され、それゆえに、すねが痛まず長く座っても疲れない効果が得られる。
【００５６】
以上、本発明を好適な実施形態により説明してきたが、こうした記述は限定事項ではなく、勿論、種々の改変が可能である。さらなる改変例について、図１５から図１７を参照しながら説明する。図１５は、本実施形態の改変例の椅子１００に使用者２００が座った様子を示しており、図１６及び図１７は、それぞれ、後方および前方からみた改変例の椅子１００の斜視図である。
【００５７】
図１５等に示した椅子１００においては、着座部１０およびすね当て部２０の高さ調整（位置調整）は、溝（６１、６２）ではなく、高さ調整装置（位置調整装置）１１、１２を使用している。
【００５８】
図示した高さ調整装置１１、１２は、それぞれ、ガスシリンダー（または、ガススプリング）である。第１ガスシリンダー１１は、ロッド１１ａおよびシリンダ１１ｂから構成されており、取付部材１３を介して着座部１０に接続されている。また、高さ調整レバー１５によって、着座部１０の高さを調整可能である。そして、第２ガスシリンダー２１は、ロッド２１ａおよびシリンダ２１ｂから構成されており、取付部材２３を介してすね当て部２０に接続されている。また、高さ調整レバー２５によって、すね当て部２０の高さを調整可能である。
【００５９】
図示した例の椅子本体部５０は、上部部材５７および下部部材５９から構成されている。椅子本体部５０は、第１ガスシリンダー１１および第２ガスシリンダー２１を固定している。また、図示した例の足載せ部３０は、板状部材ではなく、ロッド部材（ここでは、円柱部材または円管部材）であり、足載せ部３０を支持する固定部材３３で固定されている。固定部材３３には、足載せ部３０（ロッド部材）を通す開口部（貫通孔）３１が形成されている。この例では、開口部（貫通孔）３１は高さ方向に沿って複数個形成されており、開口部（貫通孔）３１を変えることにより、足載せ部３０の高さ（位置）を変更することが可能である。固定部材３３は、椅子本体部５０に取り付けられている。また、ストッパ（接地部）７０は、支持棒７５に取り付けられている。支持棒７５は、椅子本体部５０に取り付けられている。なお、ストッパ（接地部）７０は、ローラに変更することができ、そのときは、椅子１００を移動させることが容易になる。
【００６０】
図１５から図１７に示した改変例の椅子１００でも、着座部１０とすね当て部２０と足載せ部３０とを備えているので、着座部１０が傾斜している構成において、座った時にかかる荷重を、すね当て部２０と足載せ部３０の複数箇所に分散することができる。したがって、長時間の使用でのすねの痛みを緩和するができることから、長く座っても疲れない椅子を実現することができる。
【００６１】
なお、上述の実施形態の椅子１００において、着座部１０、すね当て部２０、足載せ部３０のすべての高さ調整（位置調整）をできる構成を示したが、例えば、足載せ部３０は固定式にして、着座部１０およびすね当て部２０の両者の高さ調整（位置調整）をできるような構成にすることも可能である。着座部１０およびすね当て部２０は、最適な圧力の分散を実現する上で、その高さ・位置の調整は重要であるが、それは足載せ部３０を固定式にしたときでも実現可能であるからである。しかしながら、足載せ部３０の高さ調整（位置調整）もできるようにした方が、最適な圧力の分散を実現する上ではさらに好ましい。また、足の長い人によっては、足載せ部３０を外して、地面に足をついて圧力を分散させることも可能である。
【００６２】
また、図１５から図１７に示した改変例の椅子１００では、高さ調整装置１１、１２として、ガスシリンダー（または、ガススプリング）を使用したが、それ以外のものを採用することもできる。例えば、上下方向に延びるロッドに穴をあけてピン止め（ビス止め）するような高さ調整装置にしたり、ネジ穴式に回転して高さを調整できるような高さ調整装置にしてもよい。また、図１５に示した椅子１００では、足載せ部３０をロッド部材で構築したが、他の部材（例えば、板状部材のようなもの）で構築してもよい。また、図５に示した椅子１００では、足載せ部３０を板状部材で構築したが、他の部材（例えば、ロッド部材のようなもの）で構築してもよい。さらに、図５に示した一対の板状部材（５０）のそれぞれは一枚板から構成しているが、複数の部材を接続したものを使用しても構わない。加えて、上述した実施形態では、人の背中を支える背もたれ部は形成されていない椅子を例示したが、椅子の設計・構成によっては、背もたれ部を設けた構成にすることが可能である。また、上述した実施形態の各要素は、互いに矛盾するものでない限り、適宜組み合わせることができ、限定的解釈されるべきものではない点を付言しておく。
【産業上の利用可能性】
【００６３】
本発明によれば、骨盤を立てて背筋を伸ばした正しい姿勢で座れるとともに、すねが痛くならないような椅子を提供することができる。
【符号の説明】
【００６４】
１０   着座部（座面）
１１   高さ調整装置（位置調整装置）
１２   座面接続部材
２０   すね当て部
２１   高さ調整装置（位置調整装置）
２２   すね当て接続部材
３０   足載せ部
３１   開口部（貫通孔）
３３   固定部材
５０   椅子本体部
５１ａ 着座支持部位（後方部位）
５１ｂ 連結部位
５１ｃ 支持部位（前方部位）
５２   連結棒状部材の端部
５３   連結棒状部材
５５   開口領域（空間）
５６   切り欠き部
６１   座面溝
６２   すね当て溝
７０   接地部材
９０   椅子
１００ 椅子
１９０ 机
２００ 人（使用者）
１０００      椅子
２０００      バランスチェア
【図１】
2020074874.tif 000003
【図２】
2020074874.tif 000004
【図３】
2020074874.tif 000005
【図４】
2020074874.tif 000006
【図５】
2020074874.tif 000007
【図６】
2020074874.tif 000008
【図７】
2020074874.tif 000009
【図８】
2020074874.tif 000010
【図９】
2020074874.tif 000011
【図１０】
2020074874.tif 000012
【図１１】
2020074874.tif 000013
【図１２】
2020074874.tif 000014
【図１３】
2020074874.tif 000015
【図１４】
2020074874.tif 000016
【図１５】
2020074874.tif 000017
【図１６】
2020074874.tif 000018
【図１７】
2020074874.tif 000019